(57)【特許請求の範囲】
【請求項１】
施工箇所に所定間隔をおいて複数本配置した細長い下地フレームに建築用パネルを複数枚並設して壁面を構成した建築壁面構造であって、建築用パネルの対向する両辺を同方向に略Ｌ字状となるように折曲して下地フレームに掛止する外向き及び内向きの掛止片をそれぞれ形成し、建築用パネルの前記外向きの掛止片を下地フレームに固定する固定手段を設け、下地フレームに建築用パネルの前記外向き及び内向きの掛止片それぞれを挟持する対向した挟持片を設け、建築用パネルを一対の下地フレーム間の空間に内向きの掛止片側の下地フレームを跨ぐようにして配置し、その後外向きの掛止片側にずらして外向き及び内向きの掛止片を下地フレームの挟持片にそれぞれ差し込んで掛止し、固定手段で一対の下地フレームに固定し、これを繰り返すことにより建築用パネルを複数枚連設するように取り付けて壁面とし、建築用パネルを一枚毎独立して脱着できるようにし、しかも固定手段が、建築用パネルの外向きの掛止片の左右いずれかの端部にパネル面と平行なナット台を設け、同ナット台にビスを螺挿したナットを固着し、下地フレームの挟持片に前記ビスが挿通できる挿通孔を建築用パネルの取付間隔をおいて複数設け、建築用パネルを前記ビスと挟持片の挿通孔とが同じ位置となるように下地フレームに掛止し、ビスを回転させてその一部を挟持片の挿通孔に挿通させることで下地フレームに固定できるようにした、建築壁面構造。
【請求項２】
施工箇所に所定間隔をおいて複数本配置した細長い下地フレームに建築用パネルを複数枚並設して壁面を構成した建築壁面構造であって、建築用パネルの対向する両辺を同方向に略Ｌ字状となるように折曲して下地フレームに掛止する外向き及び内向きの掛止片をそれぞれ形成し、建築用パネルの前記外向きの掛止片を下地フレームに固定する固定手段を設け、下地フレームに建築用パネルの前記外向き及び内向きの掛止片それぞれを挟持する対向した挟持片を設け、建築用パネルを一対の下地フレーム間の空間に内向きの掛止片側の下地フレームを跨ぐようにして配置し、その後外向きの掛止片側にずらして外向き及び内向きの掛止片を下地フレームの挟持片にそれぞれ差し込んで掛止し、固定手段で一対の下地フレームに固定し、これを繰り返すことにより建築用パネルを複数枚連設するように取り付けて壁面とし、建築用パネルを一枚毎独立して脱着できるようにし、しかも建築用パネルの外向きの掛止片の一部を表面側に折曲して内向きの掛止片の端部に掛止できる突起を設け、対向する内向きの掛止片に隣接して並設される他の建築用パネルの突起と嵌合できる切欠を位置をずらして設け、前記突起と切欠を嵌合し、その後横方向に所定の取付位置までずらして突起を内向きの掛止片の端部に掛止し、建築用パネルを下地フレームと直交方向に正確な位置で並設できるようにした建築壁面構造。
【請求項３】
建築用パネルのビスの上方にビスを回転させる工具が挿入できる小孔を形成した覆い片を設け、ビスを目立たなくできるようにした請求項１記載の建築壁面構造。
【請求項４】
建築用パネルの外向きの掛止片の一部を表面側に折曲して内向きの掛止片の端部に掛止できる突起を設け、対向する内向きの掛止片に隣接して並設される他の建築用パネルの突起と嵌合できる切欠を位置をずらして設け、前記突起と切欠を嵌合し、その後横方向に所定の取付位置までずらして突起を内向きの掛止片の端部に掛止し、建築用パネルを下地フレームと直交方向に正確な位置で並設できるようにした請求項１又は３いずれか記載の建築壁面構造。
【発明の詳細な説明】
【０００１】
【発明の属する技術分野】
本発明は、パネルを複数枚組み合わせて構成する建築物の内外装の建築壁面構造であって、特に建築物の天井面に有用な技術に関する。
【０００２】
【従来の技術】
従来の建築壁面構造としては、建築用パネルの周辺を外側に張り出すように略Ｌ字状に折曲して固定片を形成し、同固定片に小孔をそれぞれ形成し、突起を備えた下地フレームに建築用パネルの固定片をその小孔に突起を挿入するようにして複数枚並設し、板材間の隙間に目地材を嵌着して固定片を押止するとともに突起の頭部を被覆するようにした構造のものや、建築用パネルの周辺を内側に略Ｌ字状に折曲して固定片を形成し、断面略コ字状の下地フレームに固定片を嵌着してバネ作用を有する固定具で固定するようにした構造がある。
ところで、このような構成の建築壁面構造では、建築用パネル補修や裏側の点検の為に所望の一枚取り外そうとすると、前者の方法では長尺の目地材を全て取り外す必要があって非常に手間を要し、後者の方法では経年変化による固定具のバネの緩みや振動により建築用パネルの取付位置が徐々にズレて固定に不安があった。
【０００３】
【発明が解決しようとする課題】
本発明が解決しようとする課題は、従来のこれらの問題点を解消し、パネルの固定を確実にするとともに周囲を傷つけることなく任意の一枚を容易に脱着できるようにした建築面構造を提供することにある。
【０００４】
【課題を解決するための手段】
かかる課題を解決した本発明の構成は、
１）  施工箇所に所定間隔をおいて複数本配置した細長い下地フレームに建築用パネルを複数枚並設して壁面を構成した建築壁面構造であって、建築用パネルの対向する両辺を同方向に略Ｌ字状となるように折曲して下地フレームに掛止する外向き及び内向きの掛止片をそれぞれ形成し、建築用パネルの前記外向きの掛止片を下地フレームに固定する固定手段を設け、下地フレームに建築用パネルの前記外向き及び内向きの掛止片それぞれを挟持する対向した挟持片を設け、建築用パネルを一対の下地フレーム間の空間に内向きの掛止片側の下地フレームを跨ぐようにして配置し、その後外向きの掛止片側にずらして外向き及び内向きの掛止片を下地フレームの挟持片にそれぞれ差し込んで掛止し、固定手段で一対の下地フレームに固定し、これを繰り返すことにより建築用パネルを複数枚連設するように取り付けて壁面とし、建築用パネルを一枚毎独立して脱着できるようにし、しかも固定手段が、建築用パネルの外向きの掛止片の左右いずれかの端部にパネル面と平行なナット台を設け、同ナット台にビスを螺挿したナットを固着し、下地フレームの挟持片に前記ビスが挿通できる挿通孔を建築用パネルの取付間隔をおいて複数設け、建築用パネルを前記ビスと挟持片の挿通孔とが同じ位置となるように下地フレームに掛止し、ビスを回転させてその一部を挟持片の挿通孔に挿通させることで下地フレームに固定できるようにした、建築壁面構造
２）  施工箇所に所定間隔をおいて複数本配置した細長い下地フレームに建築用パネルを複数枚並設して壁面を構成した建築壁面構造であって、建築用パネルの対向する両辺を同方向に略Ｌ字状となるように折曲して下地フレームに掛止する外向き及び内向きの掛止片をそれぞれ形成し、建築用パネルの前記外向きの掛止片を下地フレームに固定する固定手段を設け、下地フレームに建築用パネルの前記外向き及び内向きの掛止片それぞれを挟持する対向した挟持片を設け、建築用パネルを一対の下地フレーム間の空間に内向きの掛止片側の下地フレームを跨ぐようにして配置し、その後外向きの掛止片側にずらして外向き及び内向きの掛止片を下地フレームの挟持片にそれぞれ差し込んで掛止し、固定手段で一対の下地フレームに固定し、これを繰り返すことにより建築用パネルを複数枚連設するように取り付けて壁面とし、建築用パネルを一枚毎独立して脱着できるようにし、しかも建築用パネルの外向きの掛止片の一部を表面側に折曲して内向きの掛止片の端部に掛止できる突起を設け、対向する内向きの掛止片に隣接して並設される他の建築用パネルの突起と嵌合できる切欠を位置をずらして設け、前記突起と切欠を嵌合し、その後横方向に所定の取付位置までずらして突起を内向きの掛止片の端部に掛止し、建築用パネルを下地フレームと直交方向に正確な位置で並設できるようにした建築壁面構造
３）  建築用パネルのビスの上方にビスを回転させる工具が挿入できる小孔を形成した覆い片を設け、ビスを目立たなくできるようにした前記１）記載の建築壁面構造
４）  建築用パネルの外向きの掛止片の一部を表面側に折曲して内向きの掛止片の端部に掛止できる突起を設け、対向する内向きの掛止片に隣接して並設される他の建築用パネルの突起と嵌合できる切欠を位置をずらして設け、前記突起と切欠を嵌合し、その後横方向に所定の取付位置までずらして突起を内向きの掛止片の端部に掛止し、建築用パネルを下地フレームと直交方向に正確な位置で並設できるようにした前記１）又は３）いずれか記載の建築壁面構造
にある。
【０００５】
【作用】
本発明では、建築用パネルを一対の下地フレーム間の空間に内向きの掛止片側の下地フレームを跨ぐように配置し、その後外向きの掛止片側にずらして外向き及び内向きの掛止片を下地フレームの挟持片にそれぞれ差し込んで掛止し、固定手段で一対の下地フレームに固定し、これを繰り返して複数枚連設するように取り付けることにより壁面が構成される。所望の一枚を取り外す場合は、固定手段を解除し、内向きの掛止片側にずらした後に手前側に引くことで、外向き及び内向きの各掛止片が下地フレームの挟持片から離脱して外れることとなる。
建築用パネルの外向き及び内向きの掛止片に突起と切欠をそれぞれ位置をずらして設けたものは、突起と切欠を嵌合した後、横方向に所定の取付位置までずらして突起を内向きの掛止片の端部に掛止することで、建築用パネルを下地フレームの直交方向に正確な位置で並設できるようにする。
【０００６】
【発明の実施の形態】
建築用パネルとしては金属板や合成樹脂板、木板などが用いられ、形状は四角形が一般的であるが、対向する両辺が平行になる形状であればその他多角形も可能である。
下地フレームは一方向のみで十分に取り付け可能であるが、これを縦横に格子状に配置し、建築用パネルの隣接し合う各二辺に外向き及び内向きの掛止片をそれぞれ設け、建築用パネルの全周縁を下地フレームに掛止することでより強固に取付けることができて好ましい。
本発明の建築壁面構造は、内外装の壁面や天井面、床面に適用できる。
【０００７】
以下、本発明の実施例を図面に基づいて具体的に説明する。
【０００８】
【実施例】
図１〜８に示す実施例は、建築物の天井面を構成する建築壁面構造の例である。
図１は、実施例の建築用パネルの表面側の斜視図である。
図２は、実施例の建築用パネルの裏面側の斜視図である。
図３は、実施例の下地フレームの斜視図である。
図４は、実施例の建築用パネルの掛止状態を示す説明図である。
図５は、実施例の建築用パネルの固定状態を示す説明図である。
図６は、実施例の建築用パネル同士の掛合を示す説明図である。
図７は、実施例の建築用壁面構造の外観図である。
図８は、実施例の建築用壁面構造の断面図である。
【０００９】
図中、１は建築用パネルであって、四角形状の金属製からなり、図１に示すように周辺を垂直にそれぞれ折曲して深さの浅い箱型に成形し、隣接する二辺に第１掛止片１ａと天井裏を隠す隠し片１ｃをそれぞれ外側に張り出すようにパネル面と平行に設けている。また、図２に示すように対向する二辺にそれぞれ内側に向けて第２掛止片１ｂと隠し片１ｄをパネル面と平行に設けている。第１掛止片１ａには、図１に示すように切れ目を形成して表面側に鋭角に折曲して突起１ｅを２箇所設けている。対向する第２掛止片１ｂには、図２に示すように各突起１ｅとずらした位置に一部を切除して切欠１ｆを設け、隣接して並設される他の建築用パネルの突起と嵌合できるようにしている。隠し片１ｃの端部には、略Ｌ字状に折曲してナット台１ｇを設け、同ナット台１ｇに内部にビスを螺挿できるように螺刻した筒状のポップナット１ｈを固着し、同ポップナット１ｈに円柱状のナット１ｉを螺挿している。ナット１ｉの上方には、第１掛止片１ａの端部を延出させた覆い片１ｊを設け、同覆い片１ｊにビス１ｉを回転させるドライバー等の工具が挿入できる小孔１ｋを設けている。
２は支持フレームであって、図３に示すように断面略コ字状に折曲した細長い金属製のものからなり、施工される箇所の天井部分の構造体（図示せず）から吊下具２ａによって水平に吊り下げられるようにしている。
３は下地フレームであって、図３に示すように断面略コ字状に折曲した細長い金属製のものからなり、支持フレーム２から吊下具３ａによって所定間隔をおいて複数本水平に吊り下げられるようにしている。下面には高さの異なる挟持片３ｂ，３ｃをそれぞれ交互に設け、さらに挿通孔３ｄを形成した挟持片３ｅを建築用パネル１の取付間隔をおいて複数設け、建築用パネル１のナット台１ｇの部分と掛合し、挿通孔３ｄにビス１ｉの一部を挿通して固定できるようにしている。
Ｋはビス１ｉを回転させるためのドライバーである。
【００１０】
本実施例では、図３に示すようにまず施工すべき箇所の天井部分の構造体（図示せず）に支持フレーム２を吊下具２ａで水平に吊り下げ、さらに支持フレーム２の下面に下地フレーム３を吊下具３ａで建築用パネル１の取付間隔をおいて複数本水平に吊り下げる。
次に、図４に示すように建築用パネル１を下地フレーム３間の空間に第２掛止片１ｂ側の下地フレーム３を跨ぐように配置した後、第１掛止片１ａ側にずらして第１掛止片１ａ及び第２掛止片１ｂを下地フレーム３の各挟持片３ｂ，３ｃ間にそれぞれ差し込んで掛止する。
次に、図５（ａ）に示すように建築用パネル１のナット台１ｇ及び覆い片１ｊとの間には下地フレーム３の挟持片３ｅがその小孔１ｋ，挿通孔３ｄが連通する位置に嵌入され、図５（ｂ）に示すようにドライバーＫを覆い片１ｊの小孔１ｋに挿入してビス１ｉを回転させることにより、ビス１ｉが挿通孔３ｄを通過してその頭部が覆い片１ｊに当接して建築用パネル１が下地フレーム３に固定され外れなくなる。
そして、図６（ａ）に示すように次の建築用パネル１の切欠１ｆを先の建築用パネル１の突起１ｅに図６（ｂ）に示すように上から被せるようにして嵌合し、建築用パネル１を図６（ｃ）に示すように横方向にずらすことで突起１ｅが第２掛止片１ｂの端部に掛止されて双方が固定される。
このようにして、図４〜６に基づいて説明した工程を繰り返すことにより建築用パネル１が順に縦横に施工されていき、求める天井面が構成されることとなる。
【００１１】
本実施例では、例えば天井裏の点検やその他配線処理等を行うときは、ドライバーＫで所望の箇所のビス１ｉを回転させてポップナット１ｈ内に螺挿することで固定を解除し、建築用パネル１を第２掛止片１ｂ側にずらした後に手前側に引くことで、第１掛止片１ａ及び第２掛止片１ｂを下地フレーム３の各挟持片３ｂ，３ｃから離脱させて取り外すことで成される。点検等が終了すれば前記と逆の方法で取り付けることにより容易に元に戻すことができる。
【００１２】
本実施例は以上のように構成したから、建築用パネルを一枚毎どの位置からでも脱着でき、従来のように長尺の目地材を取り外したり周囲を傷つけることなく容易に短時間に作業を行える。また、建築用パネルは下地フレームに掛止してビスにより固定するため、取り付け後はガタついたり振動により緩むことがなく、長期に渡って確実に取付状態を保持できるとともに作業性にも優れる。さらに、ビスは建築用パネルに内蔵されているから、本実施例のように天井への取り付け時などでビスが落下したりすることなく能率良く作業できる。さらにまた、ビスは覆い片で隠れて外部から見えないため意匠性も優れる。
【００１３】
【発明の効果】
以上説明したように本発明によれば、パネルの固定を確実にするとともに、周囲を傷つけることなく任意の一枚を容易に脱着できるようにした建築壁面構造を提供できる。
【図面の簡単な説明】
【図１】実施例の建築用パネルの表面側の斜視図である。
【図２】実施例の建築用パネルの裏面側の斜視図である。
【図３】実施例の下地フレームの斜視図である。
【図４】実施例の建築用パネルの掛止状態を示す説明図である。
【図５】実施例の建築用パネルの固定状態を示す説明図である。
【図６】実施例の建築用パネル同士の掛合を示す説明図である。
【図７】実施例の建築壁面構造の外観図である。
【図８】実施例の建築壁面構造の断面図である。
【符号の説明】
１  建築用パネル
１ａ  第１掛止片
１ｂ  第２掛止片
１ｃ，１ｄ  隠し片
１ｅ  突起
１ｆ  切欠
１ｇ  ナット台
１ｈ  ポップナット
１ｉ  ビス
１ｊ  覆い片
１ｋ  小孔
２  支持フレーム
２ａ  吊下具
３  下地フレーム
３ａ  吊下具
３ｂ，３ｃ  挟持片
３ｄ  挿通孔
３ｅ  挟持片
Ｋ  ドライバー
【図１】
0003584221.tif 000002
【図２】
0003584221.tif 000003
【図３】
0003584221.tif 000004
【図４】
0003584221.tif 000005
【図５】
0003584221.tif 000006
【図６】
0003584221.tif 000007
【図７】
0003584221.tif 000008
【図８】
0003584221.tif 000009